(57)【要約】【課題】  特に発光ダイオードからの熱をスムーズに排出することにより、発光ダイオード装置の温度を素早く下げて、使用寿命及び安定性を向上できる発光ダイオード装置及びその放熱部材を提供すること。【解決手段】  １つ以上のボードと、放熱部材とを有し、該ボードの底面に複数の発光ダイオード１１が設置され、一方、該放熱部材は、該ボードの上面に設置され、ベースと、複数の放熱フィンとを有し、そのうちベースに複数の挿設溝部が形成され、該各放熱フィンは、上面が該ベースの底面と接すると共に、下面が該ボードの上面と接するように、相対の両縁部を備える当接部と、該当接部の少なくとも１つの縁部から上側に向かって延出すると共に、該ベースの挿設溝部に挿設されるフィン部とを備える。【選択図】  図１
0003166701.tif 000002
【実用新案登録請求の範囲】
【請求項１】
ベースと、複数の放熱フィンとを有し、その内、該ベースは、複数の挿設溝部が形成され、該各放熱フィンは、上面が該ベースの底面と接すると共に、相対の両縁部を備える当接部と、該当接部の少なくとも１つの縁部から上側に向かって延出すると共に、該ベースの挿設溝部に挿設されるフィン部とを備える、放熱部材。
【請求項２】
前記各放熱フィンはそれぞれ、前記当接部の両縁部から上側に向かって延出する２つのフィン部とを有する、請求項１に記載の放熱部材。
【請求項３】
前記各放熱フィンがＬ字形を呈すると共に、前記各フィン部が矩形を呈する、請求項２に記載の放熱部材。
【請求項４】
前記各放熱フィンがＵ字形を呈すると共に、前記各フィンが矩形を呈する、請求項２に記載の放熱部材。
【請求項５】
１つ以上のボードと、放熱部材とを有し、該ボードの底面に複数の発光ダイオードが設置され、一方、該放熱部材は、該ボードの上面に設置され、ベースと、複数の放熱フィンとを有し、そのうちベースに複数の挿設溝部が形成され、該各放熱フィンは、上面が該ベースの底面と接すると共に、下面が該ボードの上面と接するように、相対の両縁部を備える当接部と、該当接部の少なくとも１つの縁部から上側に向かって延出すると共に、該ベースの挿設溝部に挿設されるフィン部とを備える、発光ダイオード装置。
【請求項６】
前記各放熱フィンはそれぞれ、当接部の両縁部から上側に向かって延出する２つのフィン部とを有する、請求項５に記載の発光ダイオード装置。
【請求項７】
前記各放熱フィンがＬ字形を呈すると共に、前記各フィン部が矩形を呈する、請求項６に記載の発光ダイオード装置。
【請求項８】
前記各放熱フィンがＵ字形を呈すると共に、前記各フィン部が矩形を呈する、請求項６に記載の発光ダイオード装置。
【請求項９】
前記ボードは、複数のボルトを介して前記ベースの底面に装着される、請求項５乃至８の何れか１項に記載の発光ダイオード装置。
【請求項１０】
前記ボードと放熱フィンの当接部との間に冷却シートが設置される、請求項５又は９に記載の発光ダイオード装置。
【請求項１１】
散熱片的接觸部
前記ボードと放熱フィンの当接部との間に放熱グリスが設けられる、請求項５又は９に記載の発光ダイオード装置。
【考案の詳細な説明】
【技術分野】
【０００１】
本考案は、特に簡単に組み合わせることができると共に、温度を速やかに下げることができる発光ダイオード装置及びその放熱部材に関する。
【背景技術】
【０００２】
近年、技術の向上により、発光ダイオードが蛍光灯や電球に取って代わって光源として使用されるようになってきたが、発光ダイオードをつける時には熱を発し、そのような発光ダイオードの温度は、直接にその使用寿命又は安定性に影響を与え、例えば、発光ダイオードの温度が上昇すると、発光量が衰えてしまう。故に、市販の発光ダイオードの多くには、放熱部材が設置されている。
【０００３】
図８に示すように、既存の発光ダイオード装置及びその放熱部材は、複数の発光ダイオード９２１を装着したベース９２の内面に、既存の放熱部材９１が設置され、その放熱部材９１は、底座９１１と、該底座９１１の上面に間隔をおいて延設される複数の放熱フィン９１２と、該ベース９２の上面と接する該底座９１１の底面９１３とを有する。また、この構成によれば、発光ダイオード９２１を設置し使用した時、発光ダイオード９２１からの熱はベース９２に伝導すると共に、該ベース９２に接する底座９１１の底面９１３から放熱フィン９１２に伝導されることから、その放熱フィン９１２を介して熱を大気に放出することができる。
【０００４】
しかしながら、既存の放熱部材は、アルミ押出形材からなり、底座９１１と放熱フィン９１２との比率、及び底座９１１の厚さに制限を有することから、発光ダイオード９２１からの熱を放熱部材９１の底面９１３に伝導させると共に、既定の厚さを有する底座９１１に伝導させ、その後、複数の放熱フィン９１２まで伝導させて熱を放出するが、熱の放出効率が低いという欠点を有する。
【０００５】
前記既存の放熱部材の欠点を鑑み、その後、図９に示すような放熱部材が案出された。該放熱部材は、複数の放熱フィン８１を重ねるように組み合わせた構成であり、その各放熱フィン８１の上面と両側の側面８１１との間にそれぞれ２つの固定孔８３が形成され、その固定孔８３は、下部から上部まで徐々に狭まる形状を呈し、また、該各側面８１１の底端にそれぞれ固定孔８３と対応する２つの係合部８２が延設されるので、図８のように、熱を底座９１１を介して放熱フィン８１まで伝導してから熱を外部に放出する必要はない。
【考案の概要】
【考案が解決しようとする課題】
【０００６】
しかしながら、前記既存の放熱部材においては、２枚の放熱フィン８１を組み合わせる時、先ず第一放熱フィン８１を第二放熱フィン８１に重ねてから押圧し、その第一放熱フィン８１の係合部８２を外側へやや湾曲させて下段の第二放熱フィン８１の固定孔８３に位置させ、該第一放熱フィン８１の係合部８２を復位させれば、該第二放熱フィン８１の固定孔８３に係合部８２係合させることができ、更に、このステップを何度も繰り返せば、複数の放熱フィン８１を組み合わせることができるが、該放熱フィン８１の組み合わせが非常に複雑であるため、改良の余地があった。
【課題を解決するための手段】
【０００７】
ベースと、複数の放熱フィンとを有し、その内、該ベースは、複数の挿設溝部が形成され、該各放熱フィンは、上面が該ベースの底面と接すると共に、相対の両縁部を備える当接部と、該当接部の少なくとも１つの縁部から上側に向かって延出すると共に、該ベースの挿設溝部に挿設されるフィン部とを備える。
【０００８】
前記各放熱フィンはそれぞれ、前記当接部の両縁部から上側に向かって延出する２つのフィン部とを有する。
【０００９】
前記各放熱フィンがＬ字形を呈すると共に、前記各フィン部が矩形を呈する。
【００１０】
前記各放熱フィンがＵ字形を呈すると共に、前記各フィン部が矩形を呈する。
【００１１】
１つ以上のボードと、放熱部材とを有し、該ボードの底面に複数の発光ダイオード１１が設置され、一方、該放熱部材は、該ボードの上面に設置され、ベースと、複数の放熱フィンとを有し、そのうちベースに複数の挿設溝部が形成され、該各放熱フィンは、上面が該ベースの底面と接すると共に、下面が該ボードの上面と接するように、相対の両縁部を備える当接部と、該当接部の少なくとも１つの縁部から上側に向かって延出すると共に、該ベースの挿設溝部に挿設されるフィン部とを備える。
【００１２】
また、前記ボードは、複数のボルトを介して前記ベースの底面に装着される。
【００１３】
前記ボードと放熱フィンの当接部との間に冷却シートが設置される。
【００１４】
前記ボードと放熱フィンの当接部との間に放熱グリスが設置される。
【考案の効果】
【００１５】
本考案に係る発光ダイオード装置及びその放熱部材は上記の課題を解決するものであり、放熱部材の放熱フィンによって、発光ダイオードからの熱を素早く排出できることから、発光ダイオード装置の温度を効率よく下げることができるので、使用寿命を延ばせるだけでなく、安定性も向上させることができる。
【図面の簡単な説明】
【００１６】
【図１】本考案に係る発光ダイオード装置及びその放熱部材の第一実施例の斜面図。
【図２】本考案に係る発光ダイオード装置及びその放熱部材の第一実施例の部分分解斜視図。
【図３】本考案に係る発光ダイオード装置及びその放熱部材の第一実施例の断面図。
【図４】本考案に係る発光ダイオード装置及びその放熱部材の他の第一実施例の部分断面図。
【図５】本考案に係る発光ダイオード装置及びその放熱部材の更に他の第一実施例の部分断面図。
【図６】本考案に係る発光ダイオード装置及びその放熱部材の第二実施例の断面図。
【図７】本考案に係る発光ダイオード装置及びその放熱部材の第二実施例の放熱フィンの斜面図。
【図８】既存の放熱部材の断面図。
【図９】他の既存の放熱部材の部分分解図。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１及び図３に示すように、本考案に係る発光ダイオード装置の第一実施例は、１つ以上のボード１０と、放熱部材２０とを有し、該ボード１０の底面に複数の発光ダイオード１１が設置される。
【００１９】
前記放熱部材２０は、前記ボード１０の上面に設置され、ベース２１と、複数の放熱フィン２２とを備え、その内、該ベース２１に複数の挿設溝部２１１が形成され、一方、該複数の放熱フィン２２はそれぞれ、該ベース２１の挿設溝部２１１に挿設され、上面が熱伝導可能に該ベース２１の底面と接すると共に、下面が熱伝導可能に前記ボード１０の上面と接する矩形の当接部２２１と、該当接部２２１の少なくとも１つの長手方向の縁部から上側に向かって延出すると共に、前記ベース２１の挿設溝部２１１に挿設されるフィン部２２２とを備える。
【００２０】
図２に示すように、ベース２１は矩形片体を呈し、長手方向と、短手方向と、その長手方向にそれぞれ間隔をおいて排列されると共に、その短手方向と平行するように形成される複数の挿設溝部２１１とを備えてもよく、該ベース２１には複数のネジ孔２１２が形成される。
【００２１】
さらに、前記第一実施例における各放熱フィン２２は、前記当接部２２１及びフィン部２２２を有し、その内、該当接部２２１は、相対する両縁部を備え、少なくとも１つの縁部から上側に向かって該フィン部２２２が延出することにより、Ｌ字形の放熱フィン２２を構成する。一方、前記フィン部２２２は、矩形を呈してもよく、ベース２１の下から上に向かって挿設溝部２１１に挿設され、該ベース２１の底面に前記当接部２２１の上面が熱伝導可能となるように接している。
【００２２】
また、前記ボード１０は矩形を呈し、底面に１つ以上の電子部材１３が設置されると共に、、前記ベース２１のネジ孔２１２と対応する箇所に装着孔１４が形成され、複数のボルト１２をそれぞれ、装着孔１４を介して通過してネジ孔２１２に螺合することによって、該ボード１０を放熱部材２０のベース２１の底面に装着すると共に、該ボード１０の上面を熱伝導可能となるように放熱フィン２２の当接部２２１の底面と接触させる。
【００２３】
図４及び図５に示すように、他の第一実施例においてはさらに、ボード１０と放熱部材２０の放熱フィン２２の当接部２２１との間に冷却シート１５、或いは放熱グリス１６、或いは冷却シート１５及び放熱グリス１６を設けても構わない。
【００２４】
図６及び図７に示すように、本考案に係る第二実施例は、第一実施例の構造と殆ど同一であるが、放熱フィン２２Ａが異なる。本実施例における各放熱フィン２２Ａは、当接部２２１Ａと、２つのフィン部２２２Ａとを有し、該当接部２２１Ａは、相対の両縁部を備え、一方、該フィン部２２２Ａはそれぞれ、該当接部２２１Ａの両縁部から上側に向かって延出することにより、放熱フィン２２ＡをＵ字形とし、その２つのフィン部２２２Ａはそれぞれ、ベース２１の挿設溝部２１１に挿設される。
【００２５】
上記したように、本考案に係る放熱部材２０、２０Ａにおける放熱フィン２２、２２Ａが肉薄であることから、該放熱フィン２２、２２Ａを湾曲させることによって、フィン部２２２、２２２Ａ及び当接部２２１，２２１Ａを簡単に形成することができる。この構成によれば、本考案に係る発光ダイオード装置は、発光ダイオード１１からの熱を、ボード１０を介して放熱フィン２２、２２Ａに伝導させることから、その熱を直接にフィン部２２２、２２２Ａから放出することにより、発光ダイオード１１からの熱をスムーズ大気に排出できるので、発光ダイオード装置の温度を素早く下げることができる。
【００２６】
さらに、本考案に係る放熱部材２０、２０Ａは、単に放熱フィン２２、２２Ａのフィン部２２２、２２２Ａをベース２１の挿設溝部２１１に挿設させるだけで、該放熱フィン２２、２２Ａとベース２１とを組み合わせることができるので、組立てがが非常に簡単である。
【産業上の利用可能性】
【００２７】
本考案は上記の構成を有し、放熱部材の放熱フィンによって、発光ダイオードからの熱を素早く排出できることから、発光ダイオード装置の温度をスムーズに下げることができるので、使用寿命及び安定性を向上させる効果を有する。
【符号の説明】
【００２８】
１０          ボード
１１          発光ダイオード
１２          ボルト
１３          電子部材
１４          装着孔
１５          放熱グリス
１６          冷却シート
２０          放熱部材
２１          ベース
２１１        挿設溝部
２１２        ネジ孔
２２、２２Ａ放熱フィン
２２１、２２１Ａ当接部
２２２、２２２Ａフィン部
８１          放熱フィン
８１１        側面
８２          係合足部
８３          固定孔
９１          放熱部材
９１１        底座
９１２        放熱フィン
９１３        底面
９２          ベース
９２１        発光ダイオード
【図１】
0003166701.tif 000003
【図２】
0003166701.tif 000004
【図３】
0003166701.tif 000005
【図４】
0003166701.tif 000006
【図５】
0003166701.tif 000007
【図６】
0003166701.tif 000008
【図７】
0003166701.tif 000009
【図８】
0003166701.tif 000010
【図９】
0003166701.tif 000011